(57)【要約】【課題】映画等のコンテンツの記録媒体の販売と同時に、高品質なコンテンツを提供することができ、価格を低く抑えることができ、さらに、確実に著作権保護を図る。【解決手段】通信ネットワークを介して取得したコンテンツデータを記録媒体１０４に記録するコンテンツ記録装置１０であって、配信サーバからコンテンツデータを取得するコンテンツデータ取得部１０１と、記録媒体１０４に固有のメディアＩＤを記録媒体１０４から抽出し、鍵発行サーバ１４に対して、メディアＩＤを含む鍵発行要求を行なって、鍵発行サーバ１４から鍵情報を取得する鍵情報取得部１０２と、取得したコンテンツデータおよび鍵情報を記録媒体１０４に記録する記録部１０３と、を備える。【選択図】図２
2009077346.tif 000002
【特許請求の範囲】
【請求項１】
通信ネットワークを介して取得したコンテンツデータを記録媒体に記録するコンテンツ記録装置であって、
配信サーバからコンテンツデータを取得するコンテンツデータ取得部と、
前記記録媒体に固有のメディアＩＤおよびＭＫＢ（Ｍｅｄｉａ  Ｋｅｙ  Ｂｌｏｃｋ）を前記記録媒体から抽出し、鍵発行サーバに対して、前記メディアＩＤおよびＭＫＢを含む鍵発行要求を行なって、前記鍵発行サーバから鍵情報を取得する鍵情報取得部と、
前記取得したコンテンツデータおよび鍵情報を前記記録媒体に記録する記録部と、を備えることを特徴とするコンテンツ記録装置。
【請求項２】
情報を画面に表示する表示部と、
前記記録部の動作を制御するプログラムが存在し、かつそのプログラムが最新のものであるかを判定すると共に、前記記録部が前記記録媒体に対してコンテンツデータを記録可能であるかどうかを判定する判定部と、を備え、
前記表示部は、前記判定の結果を表示することを特徴とする請求項１記載のコンテンツ記録装置。
【請求項３】
前記判定の結果、前記記録部の動作を制御するプログラムが存在せず、若しくはそのプログラムが最新のものでない場合、または前記記録部が前記記録媒体に対してコンテンツデータを記録可能でない場合、
前記表示部は、エラー表示を行ない、
前記コンテンツデータ取得部は、コンテンツデータの取得を停止することを特徴とする請求項２記載のコンテンツ記録装置。
【請求項４】
前記判定の結果、前記記録部の動作を制御するプログラムが存在し、かつそのプログラムが最新のものであって、前記記録部が前記記録媒体に対してコンテンツデータを記録可能である場合、
前記表示部は、コンテンツ取得可能表示を行ない、
前記コンテンツデータ取得部は、ユーザの操作を契機として、配信サーバからコンテンツデータを取得することを特徴とする請求項２記載のコンテンツ記録装置。
【請求項５】
前記表示部は、前記記録部がコンテンツデータを前記記録媒体に記録している最中に、コンテンツデータの再生時間、作品名、記録所要時間の推移の少なくとも一つを表示することを特徴とする請求項２記載のコンテンツ記録装置。
【請求項６】
前記コンテンツデータ取得部は、前記配信サーバから取得したコンテンツデータの全部または一部を、一時的に格納する格納部を備え、
前記格納部に格納されたコンテンツデータの全部または一部が、前記記録部に記録され次第、その記録されたコンテンツデータの全部または一部を前記格納部から削除することを特徴とする請求項１から請求項５のいずれかに記載のコンテンツ記録装置。
【請求項７】
前記コンテンツデータ取得部は、前記配信サーバからのコンテンツデータの取得が中断した場合は、再度、前記配信サーバからコンテンツデータの取得を行なうことを特徴とする請求項１から請求項６のいずれかに記載のコンテンツ記録装置。
【請求項８】
前記記録部は、コンテンツデータの記録が完了したときは、配信サーバに対してコンテンツデータの記録完了を通知することを特徴とする請求項１から請求項７のいずれかに記載のコンテンツ記録装置。
【請求項９】
前記記録媒体は、ＣＰＲＭ対応メディアであることを特徴とする請求項１から請求項８のいずれかに記載のコンテンツ記録装置。
【請求項１０】
請求項１から請求項９のいずれかに記載のコンテンツ記録装置と、
コンテンツデータを前記コンテンツ記録装置へ提供する配信サーバと、
前記コンテンツ記録装置から取得したメディアＩＤおよびＭＫＢ（Ｍｅｄｉａ  Ｋｅｙ  Ｂｌｏｃｋ）に基づいて、鍵情報を生成し、生成した鍵情報を前記コンテンツ記録装置へ提供する鍵発行サーバと、を備えることを特徴とするコンテンツ配信システム。
【請求項１１】
前記コンテンツ記録装置からコンテンツ購入要求を受信したときに、課金処理を行なう課金サーバを更に備えることを特徴とする請求項１０記載のコンテンツ配信システム。
【請求項１２】
前記課金サーバは、前記コンテンツ記録装置によるコンテンツデータの取得の履歴を記録することを特徴とする請求項１１記載のコンテンツ配信システム。
【請求項１３】
通信ネットワークを介して取得したコンテンツデータを記録媒体に記録する制御プログラムであって、
コンテンツデータ取得部において、配信サーバからコンテンツデータを取得する処理と、
鍵情報取得部において、前記記録媒体に固有のメディアＩＤおよびＭＫＢ（Ｍｅｄｉａ  Ｋｅｙ  Ｂｌｏｃｋ）を前記記録媒体から抽出し、鍵発行サーバに対して、前記メディアＩＤおよびＭＫＢを含む鍵発行要求を行なって、前記鍵発行サーバから鍵情報を取得する処理と、
記録部において、前記取得したコンテンツデータおよび鍵情報を前記記録媒体に記録する処理と、
判定部において、前記記録部の動作を制御するプログラムが存在し、かつそのプログラムが最新のものであるかを判定すると共に、前記記録部が前記記録媒体に対してコンテンツデータを記録可能であるかどうかを判定する処理と、
表示部において、前記判定結果を画面に表示する処理と、を含む一連の処理を、コンピュータが実行し得る命令群として構成したことを特徴とする制御プログラム。
【請求項１４】
前記判定の結果、前記記録部の動作を制御するプログラムが存在せず、若しくはそのプログラムが最新のものでない場合、または前記記録部が前記記録媒体に対してコンテンツデータを記録可能でない場合に、
前記表示部において、エラー表示を行なう処理と、
前記コンテンツデータ取得部において、コンテンツデータの取得を停止する処理と、を更に含むことを特徴とする請求項１３記載の制御プログラム。
【請求項１５】
前記判定の結果、前記記録部の動作を制御するプログラムが存在し、かつそのプログラムが最新のものであって、前記記録部が前記記録媒体に対してコンテンツデータを記録可能である場合に、
前記表示部において、コンテンツ取得可能表示を行なう処理と、
前記コンテンツデータ取得部において、ユーザの操作を契機として、配信サーバからコンテンツデータを取得する処理と、を更に含むことを特徴とする請求項１３記載の制御プログラム。
【発明の詳細な説明】
【技術分野】
【０００１】
本発明は、通信ネットワークを介して取得したコンテンツデータを記録媒体に記録する技術に関する。
【背景技術】
【０００２】
従来から、ＶＯＤ（Video On Demand）によるコンテンツの配信サービスが行なわれている。ＶＯＤでは、ストリーミング方式とダウンロード方式とがある。ストリーミング方式は、音声や動画などのマルチメディアファイルを転送・再生する方式の一種であり、ファイルをダウンロードするのと同時に再生をすることにより、待ち時間の短縮を図ったものである。また、ダウンロード方式とは、他のコンピュータから転送されたファイルを受信する方式である。ダウンロード方式では、受信した後でファイルを再生する。また、ダウンロード方式には、ＥＳＴ（Electric Sell Through）も知られている。
【０００３】
また、特開２００６−３３１４１０号公報（特許文献１）には、コンテンツのダウンロード方法が提案されている。この方法は、記録媒体をネットワーク対応機器に接続し、通信ネットワークを介して、ネットワーク対応機器とサーバとの間で接続を確立する。そして、ネットワーク対応機器を介して、サーバから記録媒体にコンテンツを転送する。これらの動作の少なくとも１つは、記録媒体上に提供され、記録媒体がネットワーク対応機器に接続された後に起動され、または起動可能であるアプリケーションにより管理されている。
【特許文献１】特開２００６−３３１４１０号公報
【発明の開示】
【発明が解決しようとする課題】
【０００４】
しかしながら、ＶＯＤでは、コンテンツの配布時期に制度上の制限が課せられており、新作映画等の場合、コンテンツの記録媒体（例えば、ＤＶＤ）が販売されてから３ヶ月〜６ヶ月を経過しないとＶＯＤによるコンテンツの配信をすることができない。このため、新作映画等を期待している視聴者にとっては、魅力の少ないシステムとなっている。また、ハリウッド等の海外のコンテンツ提供者からは承認が得られているものの、非常に高額となっている。さらに、国内では、限られたコンテンツ提供者の限られたコンテンツしか提供することができないため、視聴者の選択の幅が狭くなっている。
【０００５】
一方、ＥＳＴでは、映画等のコンテンツのＤＶＤの販売と同時にコンテンツを提供することができ、海外のコンテンツ提供者からも承認が得られているが、国内では、ＶＯＤと同様に、限られたコンテンツ提供者の限られたコンテンツしか提供することができないため、視聴者の選択の幅が狭くなっている。
【０００６】
本発明は、このような事情に鑑みてなされたものであり、映画等のコンテンツの記録媒体の販売と同時に、高品質なコンテンツを提供することができ、価格を低く抑えることができ、さらに、確実に著作権保護を図ることができるコンテンツ記録装置、コンテンツ配信システムおよび制御プログラムを提供することを目的とする。
【課題を解決するための手段】
【０００７】
（１）上記の目的を達成するために、本発明は、以下のような手段を講じた。すなわち、本発明のコンテンツ記録装置は、通信ネットワークを介して取得したコンテンツデータを記録媒体に記録するコンテンツ記録装置であって、配信サーバからコンテンツデータを取得するコンテンツデータ取得部と、前記記録媒体に固有のメディアＩＤおよびＭＫＢ（Ｍｅｄｉａ  Ｋｅｙ  Ｂｌｏｃｋ）を前記記録媒体から抽出し、鍵発行サーバに対して、前記メディアＩＤおよびＭＫＢを含む鍵発行要求を行なって、前記鍵発行サーバから鍵情報を取得する鍵情報取得部と、前記取得したコンテンツデータおよび鍵情報を前記記録媒体に記録する記録部と、を備えることを特徴としている。
【０００８】
このように、記録媒体に固有のメディアＩＤおよびＭＫＢを記録媒体から抽出し、鍵発行サーバに対して、メディアＩＤおよびＭＫＢを含む鍵発行要求を行なって、鍵発行サーバから鍵情報を取得し、その取得したコンテンツデータおよび鍵情報を記録媒体に記録するので、確実に著作権保護を図ることができる。その結果、視聴者が、通信ネットワークを経由してコンテンツを購入し、そのコンテンツを、パーソナルコンピュータ（またはＤＶＤレコーダ）を介して記録媒体（例えば、ＤＶＤ）に直接書き込むサービスを実現することが可能となる。これにより、ＶＯＤとは異なり、映画等のコンテンツの記録媒体（例えば、ＤＶＤ）の販売と同時にコンテンツを提供することが可能となり、従来には存在しなかった全く新しい視聴スタイルを提案することが可能となる。また、市販のＤＶＤのようにプレスや物流コストがかからないため、廉価で提供することができると共に、ＤＶＤ化されていない未販売のコンテンツも配信することが可能となり、視聴者のコンテンツを選択する幅を広げることができる。
【０００９】
（２）また、本発明のコンテンツ記録装置において、情報を画面に表示する表示部と、前記記録部の動作を制御するプログラムが存在し、かつそのプログラムが最新のものであるかを判定すると共に、前記記録部が前記記録媒体に対してコンテンツデータを記録可能であるかどうかを判定する判定部と、を備え、前記表示部は、前記判定の結果を表示することを特徴としている。
【００１０】
このように、記録部の動作を制御するプログラムが存在し、かつそのプログラムが最新のものであるかを判定すると共に、記録部が記録媒体に対してコンテンツデータを記録可能であるかどうかを判定し、判定の結果を表示するので、視聴者のコンテンツ記録装置が、コンテンツを取得するための最新の環境となっているかどうかを把握し、それを視聴者へ報知することが可能となる。なお、判定部は、記録部に装填されているＤＶＤがＣＰＲＭに対応するものであるかどうかの判定を行なっても良い。
【００１１】
（３）また、本発明のコンテンツ記録装置において、前記判定の結果、前記記録部の動作を制御するプログラムが存在せず、若しくはそのプログラムが最新のものでない場合、または前記記録部が前記記録媒体に対してコンテンツデータを記録可能でない場合、前記表示部は、エラー表示を行ない、前記コンテンツデータ取得部は、コンテンツデータの取得を停止することを特徴としている。
【００１２】
このように、判定の結果、記録部の動作を制御するプログラムが存在せず、若しくはそのプログラムが最新のものでない場合、または記録部が記録媒体に対してコンテンツデータを記録可能でない場合、エラー表示を行ない、コンテンツデータの取得を停止するので、視聴者のコンテンツ記録装置が、最新の環境となっていない場合は、コンテンツデータの取得ができなくなるため、不正または違法なコンテンツの視聴が回避され、著作権保護を確実に図ることが可能となる。
【００１３】
（４）また、本発明のコンテンツ記録装置において、前記判定の結果、前記記録部の動作を制御するプログラムが存在し、かつそのプログラムが最新のものであって、前記記録部が前記記録媒体に対してコンテンツデータを記録可能である場合、前記表示部は、コンテンツ取得可能表示を行ない、前記コンテンツデータ取得部は、ユーザの操作を契機として、配信サーバからコンテンツデータを取得することを特徴としている。
【００１４】
このように、判定の結果、記録部の動作を制御するプログラムが存在し、かつそのプログラムが最新のものであって、記録部が記録媒体に対してコンテンツデータを記録可能である場合、コンテンツ取得可能表示を行ない、ユーザの操作を契機として、配信サーバからコンテンツデータを取得するので、コンテンツデータの取得条件が整って初めてコンテンツデータの取得が可能となる。これにより、不正または違法なコンテンツの視聴が回避され、著作権保護を確実に図ることが可能となると共に、適法な手順を踏んだ視聴者は、本サービスの利益を享受することが可能となる。
【００１５】
（５）また、本発明のコンテンツ記録装置において、前記表示部は、前記記録部がコンテンツデータを前記記録媒体に記録している最中に、コンテンツデータの再生時間、作品名、記録所要時間の推移の少なくとも一つを表示することを特徴としている。
【００１６】
このように、記録部がコンテンツデータを前記記録媒体に記録している最中に、コンテンツデータの再生時間、作品名、記録所要時間の推移の少なくとも一つを表示するので、視聴者はコンテンツデータの内容や所要時間等、さらに記録の状況などを知ることができる。
【００１７】
（６）また、本発明のコンテンツ記録装置において、前記コンテンツデータ取得部は、前記配信サーバから取得したコンテンツデータの全部または一部を、一時的に格納する格納部を備え、前記格納部に格納されたコンテンツデータの全部または一部が、前記記録部に記録され次第、その記録されたコンテンツデータの全部または一部を前記格納部から削除することを特徴としている。
【００１８】
このように、配信サーバから取得したコンテンツデータの全部または一部を、いわゆる「一次キャッシュ」として、一時的に格納するので、通信ネットワークを介するコンテンツデータの取得速度と、記録媒体への書き込み速度が異なる場合であっても、その速度差を吸収して不都合を回避することができる。特に、コンテンツデータの取得速度が、記録媒体への書き込み速度よりも大きい場合、通信が滞ることも予想されるが、コンテンツデータを一時的に格納することによって、このような不都合を回避することができる。また、格納されたコンテンツデータの全部または一部が、記録部に記録され次第、その記録されたコンテンツデータの全部または一部を格納部から削除するので、一時的に格納されたコンテンツデータが不正に利用されることを防止することが可能となる。
【００１９】
（７）また、本発明のコンテンツ記録装置において、前記コンテンツデータ取得部は、前記配信サーバからのコンテンツデータの取得が中断した場合は、再度、前記配信サーバからコンテンツデータの取得を行なうことを特徴としている。
【００２０】
このように、配信サーバからのコンテンツデータの取得が中断した場合は、再度、前記配信サーバからコンテンツデータの取得を行なうので、コンテンツデータの全てを確実に取得することができる。コンテンツデータの取得の再開については、中断した箇所からコンテンツデータの取得を再開しても良いし、最初から取得しなおしても良い。また、コンテンツデータの取得が中断した場合、上記格納部に一時的に格納されたコンテンツデータの全部または一部を削除しても良い。これにより、重複した記録動作を回避したり、一時的に格納されたコンテンツデータが不正に利用されたりすることを防止することが可能となる。
【００２１】
（８）また、本発明のコンテンツ記録装置において、前記記録部は、コンテンツデータの記録が完了したときは、配信サーバに対してコンテンツデータの記録完了を通知することを特徴としている。
【００２２】
このように、コンテンツデータの記録が完了したときは、配信サーバに対してコンテンツデータの記録完了を通知するので、配信サーバは、コンテンツデータが適式に取得されたことを把握することができる。
【００２３】
（９）また、本発明のコンテンツ記録装置において、前記記録媒体は、ＣＰＲＭ対応メディアであることを特徴としている。
【００２４】
このように、記録媒体は、ＣＰＲＭ対応メディアであるので、著作権保護を十分に図ることが可能となる。
【００２５】
（１０）また、本発明のコンテンツ配信システムは、請求項１から請求項９のいずれかに記載のコンテンツ記録装置と、コンテンツデータを前記コンテンツ記録装置へ提供する配信サーバと、前記コンテンツ記録装置から取得したメディアＩＤおよびＭＫＢ（Ｍｅｄｉａ  Ｋｅｙ  Ｂｌｏｃｋ）に基づいて、鍵情報を生成し、生成した鍵情報を前記コンテンツ記録装置へ提供する鍵発行サーバと、を備えることを特徴としている。
【００２６】
このように、記録媒体に固有のメディアＩＤおよびＭＫＢを記録媒体から抽出し、鍵発行サーバに対して、メディアＩＤおよびＭＫＢを含む鍵発行要求を行なって、鍵発行サーバから鍵情報を取得し、その取得したコンテンツデータおよび鍵情報を記録媒体に記録するので、確実に著作権保護を図ることができる。その結果、視聴者が、通信ネットワークを経由してコンテンツを購入し、そのコンテンツを、パーソナルコンピュータ（またはＤＶＤレコーダ）を介して記録媒体（例えば、ＤＶＤ）に直接書き込むサービスを実現することが可能となる。これにより、ＶＯＤとは異なり、映画等のコンテンツの記録媒体（例えば、ＤＶＤ）の販売と同時にコンテンツを提供することが可能となり、従来には存在しなかった全く新しい視聴スタイルを提案することが可能となる。また、市販のＤＶＤのようにプレスや物流コストがかからないため、廉価で提供することができると共に、ＤＶＤ化されていない未販売のコンテンツも配信することが可能となり、視聴者のコンテンツを選択する幅を広げることができる。
【００２７】
（１１）また、本発明のコンテンツ配信システムにおいて、前記コンテンツ記録装置からコンテンツ購入要求を受信したときに、課金処理を行なう課金サーバを更に備えることを特徴としている。
【００２８】
このように、コンテンツ記録装置からコンテンツ購入要求を受信したときに、課金処理を行なうので、コンテンツを配信するビジネスを実現することが可能となる。
【００２９】
（１２）また、本発明のコンテンツ配信システムにおいて、前記課金サーバは、前記コンテンツ記録装置によるコンテンツデータの取得の履歴を記録することを特徴としている。
【００３０】
このように、課金サーバは、コンテンツ記録装置によるコンテンツデータの取得の履歴を記録するので、コンテンツデータの取得を確実に把握することができると共に、履歴情報を統計的に処理することでき、マーケティング戦略に役立てることが可能となる。
【００３１】
（１３）また、本発明の制御プログラムは、通信ネットワークを介して取得したコンテンツデータを記録媒体に記録する制御プログラムであって、コンテンツデータ取得部において、配信サーバからコンテンツデータを取得する処理と、鍵情報取得部において、前記記録媒体に固有のメディアＩＤおよびＭＫＢ（Ｍｅｄｉａ  Ｋｅｙ  Ｂｌｏｃｋ）を前記記録媒体から抽出し、鍵発行サーバに対して、前記メディアＩＤおよびＭＫＢを含む鍵発行要求を行なって、前記鍵発行サーバから鍵情報を取得する処理と、記録部において、前記取得したコンテンツデータおよび鍵情報を前記記録媒体に記録する処理と、判定部において、前記記録部の動作を制御するプログラムが存在し、かつそのプログラムが最新のものであるかを判定すると共に、前記記録部が前記記録媒体に対してコンテンツデータを記録可能であるかどうかを判定する処理と、表示部において、前記判定結果を画面に表示する処理と、を含む一連の処理を、コンピュータが実行し得る命令群として構成したことを特徴としている。
【００３２】
このように、記録媒体に固有のメディアＩＤおよびＭＫＢを記録媒体から抽出し、鍵発行サーバに対して、メディアＩＤおよびＭＫＢを含む鍵発行要求を行なって、鍵発行サーバから鍵情報を取得し、その取得したコンテンツデータおよび鍵情報を記録媒体に記録するので、確実に著作権保護を図ることができる。その結果、視聴者が、通信ネットワークを経由してコンテンツを購入し、そのコンテンツを、パーソナルコンピュータ（またはＤＶＤレコーダ）を介して記録媒体（例えば、ＤＶＤ）に直接書き込むサービスを実現することが可能となる。これにより、ＶＯＤとは異なり、映画等のコンテンツの記録媒体（例えば、ＤＶＤ）の販売と同時にコンテンツを提供することが可能となり、従来には存在しなかった全く新しい視聴スタイルを提案することが可能となる。また、市販のＤＶＤのようにプレスや物流コストがかからないため、廉価で提供することができると共に、ＤＶＤ化されていない未販売のコンテンツも配信することが可能となり、視聴者のコンテンツを選択する幅を広げることができる。また、記録部の動作を制御するプログラムが存在し、かつそのプログラムが最新のものであるかを判定すると共に、記録部が記録媒体に対してコンテンツデータを記録可能であるかどうかを判定し、判定の結果を表示するので、視聴者のコンテンツ記録装置が、コンテンツを取得するための最新の環境となっているかどうかを把握し、それを視聴者へ報知することが可能となる。
【００３３】
（１４）また、本発明の制御プログラムにおいて、前記判定の結果、前記記録部の動作を制御するプログラムが存在せず、若しくはそのプログラムが最新のものでない場合、または前記記録部が前記記録媒体に対してコンテンツデータを記録可能でない場合に、前記表示部において、エラー表示を行なう処理と、前記コンテンツデータ取得部において、コンテンツデータの取得を停止する処理と、を更に含むことを特徴としている。
【００３４】
このように、判定の結果、記録部の動作を制御するプログラムが存在せず、若しくはそのプログラムが最新のものでない場合、または記録部が記録媒体に対してコンテンツデータを記録可能でない場合、エラー表示を行ない、コンテンツデータの取得を停止するので、視聴者のコンテンツ記録装置が、最新の環境となっていない場合は、コンテンツデータの取得ができなくなるため、不正または違法なコンテンツの視聴が回避され、著作権保護を確実に図ることが可能となる。なお、上記判定処理では、記録部に装填されているＤＶＤがＣＰＲＭに対応するものであるかどうかの判定を行なっても良い。
【００３５】
（１５）また、本発明の制御プログラムにおいて、前記判定の結果、前記記録部の動作を制御するプログラムが存在し、かつそのプログラムが最新のものであって、前記記録部が前記記録媒体に対してコンテンツデータを記録可能である場合に、前記表示部において、コンテンツ取得可能表示を行なう処理と、前記コンテンツデータ取得部において、ユーザの操作を契機として、配信サーバからコンテンツデータを取得する処理と、を更に含むことを特徴としている。
【００３６】
このように、判定の結果、記録部の動作を制御するプログラムが存在し、かつそのプログラムが最新のものであって、記録部が記録媒体に対してコンテンツデータを記録可能である場合、コンテンツ取得可能表示を行ない、ユーザの操作を契機として、配信サーバからコンテンツデータを取得するので、コンテンツデータの取得条件が整って初めてコンテンツデータの取得が可能となる。これにより、不正または違法なコンテンツの視聴が回避され、著作権保護を確実に図ることが可能となると共に、適法な手順を踏んだ視聴者は、本サービスの利益を享受することが可能となる。
【発明の効果】
【００３７】
本発明によれば、記録媒体に固有のメディアＩＤおよびＭＫＢを記録媒体から抽出し、鍵発行サーバに対して、メディアＩＤおよびＭＫＢを含む鍵発行要求を行なって、鍵発行サーバから鍵情報を取得し、その取得したコンテンツデータおよび鍵情報を記録媒体に記録するので、確実に著作権保護を図ることができる。その結果、視聴者が、通信ネットワークを経由してコンテンツを購入し、そのコンテンツを、パーソナルコンピュータ（またはＤＶＤレコーダ）を介して記録媒体（例えば、ＤＶＤ）に直接書き込むサービスを実現することが可能となる。これにより、ＶＯＤとは異なり、映画等のコンテンツの記録媒体（例えば、ＤＶＤ）の販売と同時にコンテンツを提供することが可能となり、従来には存在しなかった全く新しい視聴スタイルを提案することが可能となる。また、市販のＤＶＤのようにプレスや物流コストがかからないため、廉価で提供することができると共に、ＤＶＤ化されていない未販売のコンテンツも配信することが可能となり、視聴者のコンテンツを選択する幅を広げることができる。
【発明を実施するための最良の形態】
【００３８】
次に、本発明に係る実施形態について、図面を参照しながら説明する。図１は、本発明の実施形態に係るコンテンツ配信システムの概略構成を示す図である。ユーザ端末１０は、コンテンツ記録装置として機能し、コンテンツデータを取得して、その取得したコンテンツデータをＤＶＤ（記録媒体）に記録する。本実施形態における記録媒体は、後述するＣＰＲＭ対応のメディアを用いる。例えば、ＤＶＤ−ＲＷまたはＤＶＤ−ＲＡＭである。但し、本発明は、これらに限定されるわけではなく、ＣＰＲＭ対応のメディアであれば、他の形態のメディアを使用することができる。
【００３９】
ＷＥＢサーバ１１は、ユーザ端末１０が通信ネットワークを介して情報を送受信するサービスを提供する。配信サーバ１２は、種々のコンテンツデータを格納するデータベースを備えており、ユーザ端末１０からの要求に応じてコンテンツデータを配信する。課金サーバ１３は、ユーザ端末１０から、コンテンツ購入要求を受信したときに、課金処理を行なう。具体的には、ユーザが画面に表示されている「購入ボタン」を押下したときに、課金処理が行なわれる。また、課金サーバ１３は、ユーザ端末１０によるコンテンツデータの取得（購入）の履歴を記録する。鍵発行サーバ１４は、ユーザ端末１０が行なう鍵発行要求に含まれているメディアＩＤおよびＭＫＢ（Ｍｅｄｉａ  Ｋｅｙ  Ｂｌｏｃｋ）に基づいて、鍵情報を生成し、生成した鍵情報をユーザ端末１０へ提供する。メディアＩＤは、ＤＶＤに固有のものであるが、ＭＫＢは固有のものではなく、ロット単位で同一のものである。ユーザ端末１０、ＷＥＢサーバ１１、配信サーバ１２、鍵発行サーバ１３、および課金サーバ１３は、例えば、インターネットなどの通信ネットワーク１００を介して相互に情報の送受信を行なうことができるように構成されている。
【００４０】
図２は、ユーザ端末１０の概略構成を示すブロック図である。コンテンツデータ取得部１０１は、配信サーバ１２からコンテンツデータを取得する。鍵情報取得部１０２は、ＤＶＤ（記録媒体）１０４に固有のメディアＩＤおよびＭＫＢを、ＤＶＤ１０４から抽出し、鍵発行サーバ１４に対して、メディアＩＤおよびＭＫＢを含む鍵発行要求を行なう。そして、鍵発行サーバ１４から鍵情報を取得する。
【００４１】
記録部１０３は、コンテンツデータ取得部１０１が取得したコンテンツデータおよび鍵情報取得部１０２が鍵情報を、ＤＶＤ１０４に記録する。この記録部１０３は、具体的には、パーソナルコンピュータとしてのユーザ端末１０が備えるＤＶＤドライブ、またはＤＶＤレコーダと、これらのデバイスに対してコンテンツデータをＤＶＤに書き込む制御を行なうＤＶＤ書き込みプログラム（以下、「ＤＶＤ書き込みアプリケーション」と呼称する。）とから構成されている。表示部１０５は、例えば、液晶ディスプレイから構成され、情報を画面に表示する。
【００４２】
判定部１０６は、記録部１０３において、動作を制御するプログラムが存在し、かつそのプログラムが最新のものであるかを判定すると共に、記録部１０３がＤＶＤ１０４に対してコンテンツデータを記録可能であるかどうかを判定する。また、記録部１０３に装填されているＤＶＤがＣＰＲＭに対応するものであるかどうかの判定も行なう。判定部１０６は、具体的には、パーソナルコンピュータと、環境チェックプログラム（以下、「ＰＣ環境チェックアプリケーション」と呼称する。）とから構成される。通信インタフェース１０７は、通信ネットワークを介して情報を送受信する。これらの構成要素は、制御バス１０８によって相互に接続されている。
【００４３】
上記のＰＣ環境チェックアプリケーションは、以下の機能を有する。
（１）ＰＣアプリケーションインストール機能
本発明に係るサービスのポータルサイトから、アプリケーションが実行できる機能を提供する。また、ユーザ端末１０のオペレーティングシステムおよびＤＶＤドライブが、本サービスを受けるための規定要件を満たしているかどうかをチェックする。
（２）ユーザ環境チェック機能
アプリケーションのインストール後に、ユーザ端末１０の環境の変更等により、サービス利用付加となる事態を防止するため、ユーザ端末１０のオペレーティングシステムのチェック、ＤＶＤドライブのチェック等の予め指定されたチェックを行なう。
（３）ファームウェアバージョンアップ機能
常に最新バージョンをユーザ端末１０の環境で起動させるために、指定サーバと判別チェックを行ない、ファームアップ要否を判断して、ファームアップ更新を行なう。
【００４４】
また、上記のＤＶＤ書き込みアプリケーションは、以下の機能を有する。
（１）ＤＶＤメディアチェック機能
ユーザ端末１０（パーソナルコンピュータ）が備えるＤＶＤドライブに挿入されているＤＶＤメディアが、本発明に係るサービスに適用できるものであるかどうかをチェックする。本発明に係るサービスに適用できるＤＶＤメディアは、例えば、ＤＶＤ−ＲＷまたはＤＶＤ−ＲＡＭである。但し、本発明は、これらに限定されるわけではない。
（２）メディア初期化機能
ＤＶＤメディア内のデータの有無の判別を行ない、初期化する必要があれば、ユーザ（視聴者）の操作を契機として、初期化を行なう。
（３）ＣＰＲＭ鍵発行サーバとの連携機能
ＣＰＲＭ（Copy Protection for Recordable Media)とは、ＤＶＤ−ＶＩＤＥＯで採用されているＣＳＳ（Content Scramble System）の暗号化強度を高めると共に、ライセンス違反機器の無効化機能をサポートする記録可能メディア用の著作権保護技術のことである。本機能は、ＤＶＤドライブに挿入されているＤＶＤメディアに対応したチケットを生成し、鍵情報発行サーバへ送信し、ダウンロード（取得）しようとしているコンテンツデータの鍵情報を取得する。この取得した「コンテンツ鍵」には適切なセキュリティ対策が施されている。
（４）コンテンツ情報取得機能
指定サーバ（配信サーバ１２）に対してコンテンツデータのダウンロード要求を行なう。
（５）ＤＶＤ書き込み機能
ＤＶＤメディアに対して鍵情報の書き込みを行ない、指定サーバからＣＰＲＭ  ｆｏｒ  Ｎｅｔｗｏｒｋｄｏｗｎｌｏａｄに対応した通信でダウンロードされたコンテンツデータを順次書き込む。ＤＶＤメディアに書き込む途中で中断した場合、中断した箇所より再開する。コンテンツデータのダウンロード速度とＤＶＤメディアへの書き込み速度の相違を吸収するため、一度キャッシュして書き込みを行なう。なお、ＤＶＤメディアに書き込む途中で中断した場合は、キャッシュしたコンテンツデータを削除する。コンテンツデータの書き込みが完了したら、書き込み結果情報を、指定サーバへ通知する。
（６）通信暗号化機能
ユーザ端末１０と鍵発行サーバ１４との通信において、ＩＤ、パスワード、鍵情報等のセキュリティに関する情報は、適切な暗号化をして通信を行なう。
（７）通信再送機能
例えば、アプリケーションが通信するブロードバンドルータのポートが閉じられたような場合、適切に再送を行なう。
（８）ＧＵＩ表示機能
ＤＶＤメディアへの書き込みの進捗状況を進捗バー等により画面表示する。
（９）コンテンツ試写機能
課金処理を行なわず、コンテンツの視聴を可能とさせるものである。前提条件としては、本機能を発揮するためには、ユーザ端末１０が通信ネットワークに接続されていること、およびユーザ端末１０に市販のＤＶＤ再生ソフトウェアがインストールされていることを要する。また、ＤＶＤ書き込み機能において、ＤＶＤメディアにはコンテンツ鍵を書き込まず、ＤＶＤ再生ソフトウェアのメモリに書き込むものとする。また、指定サーバからＣＰＲＭ  ｆｏｒ  Ｎｅｔｗｏｒｋｄｏｗｎｏａｄに対応した通信でダウンロードしたコンテンツデータをＤＶＤメディアに順次書き込む。ＤＶＤメディアの再生を行なう場合、ユーザ端末１０内のＤＶＤ再生ソフトウェアから指定した情報の取得を行ない、ＤＶＤメディア情報と共に指定サーバに鍵認証を要求し、認証結果を取得する。問題なく鍵認証が行なわれた場合は、ＤＶＤ再生ソフトウェアで試写を行なう。
（１０）追っかけ再生機能
ＤＶＤメディアにコンテンツデータの書き込みを行ないながら、同時にＤＶＤ再生ソフトウェアで再生する。
【００４５】
図３は、本発明の実施形態に係るコンテンツ配信システムの動作を示す図である。通信ネットワーク（インターネット）１００に接続可能なユーザ端末１０は、ＷＥＢサーバ１１を介して、情報を送受信することが可能である。ユーザ端末１０において、ブラウザ（例えば、インターネットエクスプローラ：以下、「ＩＥ」と呼称する。）により、コンテンツ一覧が表示される。ユーザが押下可能なサムネイル画像を押下する（クリックする）と、ＡｃｔｉｖｅＸが起動する（１）。次に、ＰＣ環境チェックアプリケーションの存在をチェックし（２）、ＰＣ環境チェックアプリケーションがユーザ端末１０内に存在しない場合は、その旨のメッセージとアプリケーションをダウンロードするためのＵＲＬを表示する（３）。一方、ＰＣ環境チェックアプリケーションがユーザ端末１０内に存在する場合は、コンテンツ詳細画面が表示される（５）。なお、ＡｃｔｉｖｅＸは、ＯＳがＷｉｎｄｏｗｓ（登録商標）ＸＰ／Ｗｉｎｄｏｗｓ（登録商標）ＶＩＳＴＡであるか、および、ＩＥ６以上であるかどうかについても確認している。
【００４６】
ユーザが購入手続ボタンを押下（クリック）すると、購入手続要求が実行される（５）。課金サーバ１３において、「．ｄｖｄｃ」ファイルのダウンロード要求が実施され（６）、課金サーバ１３からユーザ端末１０に「．ｄｖｄｃ」ファイルが転送される（７）。ユーザ端末１０では、ＰＣ環境チェックアプリケーションが起動し（８）、起動後に「．ｄｖｄｃ」ファイルを削除する。ＰＣ環境チェックアプリケーションは、次のことをチェックする。すなわち、
（ａ）ドライブチェック処理を実施して、エラーの場合は、異常結果のＵＲＬをＩＥに送信する（９）。その結果、ドライブについてのエラーメッセージが画面に表示される。
（ｂ）バージョンチェック処理を実施して、エラーの場合は、異常結果のＵＲＬをＩＥに送信する（９）。その結果、バージョンについてのエラーメッセージが画面に表示される。
（ｃ）上記（ａ）、（ｂ）の処理が正常に終了した場合は、コンテンツ購入確認画面のＵＲＬをＩＥに送信する（１０）。その結果、コンテンツ購入確認画面が表示される。例えば、購入ボタン、再ダウンロードボタン、または再購入ボタンなどが表示される。
【００４７】
ユーザが、コンテンツ購入確認画面において、購入ボタンを押下（クリック）すると、ＷＥＢサーバ１１に対して課金要求が行なわれる（１１）。また、課金サーバ１３において、課金処理が行なわれる（１２）。この課金処理が正常に終了しない場合は、エラーである旨のデータが返送され（１３）、ユーザ端末１０でそれが表示される（１４）。一方、課金処理が正常に終了した場合は、「．ｄｖｄｃ」ファイルのダウンロード要求が実施され（１５）、課金サーバ１３からユーザ端末１０に「．ｄｖｄｃ」ファイルが転送される（１６）。ユーザ端末１０では、ＤＶＤ書き込みアプリケーションが起動し（１６）、起動後に「．ｄｖｄｃ」ファイルを削除する。ＤＶＤ書き込みアプリケーションは、次の動作を行なう。すなわち、メディアチェックを行ない、必要に応じて初期化をする。その後、コンテンツデータの要求を行なう（１９）。
【００４８】
配信サーバ１２からコンテンツデータを取得すると、取得したコンテンツデータをＤＶＤメディアに書き込む（２０）。次に、鍵発行要求を行なう（２１）。ＤＶＤメディアからメディアＩＤおよびＭＫＢを抽出し（２２）、ＷＥＢサーバ１１を経由して、鍵発行サーバ１４に対して鍵発行要求を実施する（２３）（２４）（２５）。鍵発行サーバ１４は、ユーザ端末１０から取得したメディアＩＤおよびＭＫＢに基づいて、コンテンツ鍵を生成し、ユーザ端末１０へ返送する（２６）（２７）（２８）。ユーザ端末１０は、鍵情報を取得すると（２９）、取得した鍵情報をＤＶＤメディアに書き込む（３０）。書き込みが正常に終了すると、ユーザ端末１０は、書き込み結果を、ＷＥＢサーバ１１を介して課金サーバ１３へ通知する（３１）。課金サーバ１３では、購入履歴データベースに書き込み結果を記録し（３２）、書き込み結果完了を、ＷＥＢサーバ１１を介してユーザ端末１０へ通知する（３４）。これにより、ユーザ端末１０のアプリケーションの動作は終了する。
【００４９】
図４は、ＰＣ環境チェックアプリケーションの動作を示すフローチャートである。まず、ＰＣ環境チェックアプリケーションが起動すると、画面にポップアップでメッセージを表示する。例えば、「お客様のＰＣが本サービスに対応しているかチェックを行います。焼き込みを行うＤＶＤドライブにＣＰＲＭ対応のＤＶＤメディアを入れて下さい。複数台ドライブがある場合は、焼き込みを行いたいドライブにのみＤＶＤメディアを入れて下さい。」といったメッセージを表示する。
【００５０】
ユーザが画面に表示されているＯＫボタンを押下（クリック）すると、「ＤＶＤ書き込みアプリケーション」が、最新バージョンであるかどうかを判断する（ステップＳ１）。最新バージョンでない場合は、Ｗｅｂ画面において、バージョンＮＧ画面を表示する（ステップＳ２）。ステップＳ１において、最新バージョンである場合は、次に、ｎを「ＤＶＤ−ＲＷ、またはＤＶＤ−ＲＡＭ対応のドライブ数」として（ステップＳ３）、ｎが正であるかどうかを判断する（ステップＳ４）、ｎが正でない場合は、ＤＶＤ−ＲＷ、またはＤＶＤ−ＲＡＭ対応のドライブが無いこととなるため、Ｗｅｂ画面において、ドライブＮＧ画面を表示する（ステップＳ５）。ステップＳ４において、ｎが正である場合は、ｎ番目のドライブにメディアが挿入されているかどうかを判断する（ステップＳ６）。ｎ番目のドライブにメディアが挿入されていない場合は、ｎ＝ｎ−１として（ステップＳ７）、ｎが正であるかどうかを判断する（ステップＳ８）。ｎが正でない場合は、「ＣＰＲＭ対応のメディアを入れて下さい。」といったメッセージを画面に表示して（ステップＳ９）、キャンセルボタンが押下された場合は、ステップＳ５へ遷移して、Ｗｅｂ画面において、ドライブＮＧ画面を表示する。一方、ＯＫボタンが押下された場合は、ステップＳ１５へ遷移する。ステップＳ１５では、ｎ＝ＤＶＤ−ＲＷ、またはＤＶＤ−ＲＡＭ対応ドライブ数として、ステップＳ６へ遷移する。なお、記録部（ここではＤＶＤドライブ）に装填されているＤＶＤがＣＰＲＭに対応するものであるかどうかの判定を行なっても良い。また、ここでは、記録媒体として、ＤＶＤ−ＲＷまたはＤＶＤ−ＲＡＭを例にとって説明しているが、本発明は、これらに限定されないため、記録部に装填または装着されている記録媒体が、ＣＰＲＭに対応したものであるかどうかを判定しても良い。
【００５１】
ステップＳ８において、ｎが正である場合は、ステップＳ６へ遷移し、再度判断を行なう。ステップＳ６において、ｎ番目のドライブにメディアが挿入されている場合は、メディアがＤＶＤ−ＲＷ、またはＤＶＤ−ＲＡＭであるかどうかを判断する（ステップＳ１０）。メディアが、ＤＶＤ−ＲＷ、またはＤＶＤ−ＲＡＭでない場合は、「ＤＶＤ−ＲＷ、またはＤＶＤ−ＲＡＭを入れて下さい。」とのメッセージを表示し（ステップＳ１１）、キャンセルボタンが押下された場合は、ステップＳ５に遷移して、Ｗｅｂ画面において、ドライブＮＧ画面を表示する。一方、ステップＳ１１において、ＯＫボタンが押下された場合は、ステップＳ１５へ遷移する。
【００５２】
ステップＳ１０において、メディアが、ＤＶＤ−ＲＷ、またはＤＶＤ−ＲＡＭである場合は、ドライブとメディアがＣＰＲＭに対応したものであるかどうかを判断する（ステップＳ１２）。ドライブとメディアがＣＰＲＭに対応したものでない場合は、その旨を報知するメッセージを表示して（ステップＳ１３）、キャンセルボタンが押下された場合は、ステップＳ５に遷移して、Ｗｅｂ画面において、ドライブＮＧ画面を表示する。一方、ＯＫボタンが押下された場合は、ステップＳ１５に遷移する。
【００５３】
ステップＳ１２において、ドライブとメディアがＣＰＲＭに対応したものである場合は、Ｗｅｂ画面において、コンテンツ購入確認画面へ遷移する（ステップＳ１４）。
【００５４】
図５は、ＤＶＤ書き込みアプリケーションの動作を示すフローチャートである。ＤＶＤ書き込みアプリケーションが起動すると、まず、ＤＶＤ−ＲＷ、またはＤＶＤ−ＲＡＭ対応ドライブの存在チェックを行ない、ＧＵＩ画面に表示する。次に、ＧＵＩ画面に書き込み可能なドライブを表示する（ステップＴ１）。このとき、ユーザが開始ボタンを押下すると次のステップへ遷移する。次に、メディアがＤＶＤ−ＲＷ、またはＤＶＤ−ＲＡＭであるかどうかを判断し（ステップＴ２）、ＤＶＤ−ＲＷ、またはＤＶＤ−ＲＡＭでない場合は、「ＤＶＤ−ＲＷ、またはＤＶＤ−ＲＡＭを入れて下さい。」というメッセージを表示し（ステップＴ３）、キャンセルボタンが押下された場合は、ステップＴ１へ遷移し、ＯＫボタンが押下された場合は、ステップＴ２へ遷移する。
【００５５】
ステップＴ２において、メディアがＤＶＤ−ＲＷ、またはＤＶＤ−ＲＡＭである場合は、メディアがＣＰＲＭに対応したものであるかどうかを判断し（ステップＴ４）、ＣＰＲＭに対応していない場合は、「ＣＰＲＭ対応のメディアを入れて下さい。」とのメッセージを表示し（ステップＴ５）、キャンセルボタンが押下された場合は、ステップＴ１へ遷移し、ＯＫボタンが押下された場合は、ステップＴ２へ遷移する。一方、ステップＴ４において、メディアがＣＰＲＭに対応したものである場合は、メディアの中にデータが入っているかどうかを判断する（ステップＴ６）。メディアの中にデータが入っている場合は、コンテンツＩＤが一致しているか、不一致であるかを判断する（ステップＴ７）。一致している場合は、前回の書き込み後からコンテンツデータをメディアに書き込む（ステップＴ８）。一方、コンテンツＩＤが不一致である場合は、ステップＴ９へ移行する。
【００５６】
ステップＴ６において、メディアの中にデータが入っていない場合は、初期化するかどうかを判断する（ステップＴ９）。このステップは、ユーザに対して選択させる画面を表示することにより行なう。初期化しない場合は、「ＤＶＤメディアを入れ替えてから、再度開始ボタンを押して下さい。」といったメッセージを表示し（ステップＴ１０）、ステップＴ１へ遷移する。一方、ステップＴ９において、初期化する場合は、初期化処理を行ない（ステップＴ１１）、その後でコンテンツＩＤをＤＶＤへ書き込む（ステップＴ１２）。次に、コンテンツデータを先頭からＤＶＤへ書き込む（ステップＴ１３）。
【００５７】
以上説明したように、本発明の実施形態によれば、ＤＶＤに固有のメディアＩＤおよびＭＫＢをＤＶＤから抽出し、鍵発行サーバに対して、メディアＩＤおよびＭＫＢを含む鍵発行要求を行なって、鍵発行サーバから鍵情報を取得し、その取得したコンテンツデータおよび鍵情報をＤＶＤに記録するので、確実に著作権保護を図ることができる。その結果、視聴者が、通信ネットワークを経由してコンテンツを購入し、そのコンテンツを、パーソナルコンピュータ（またはＤＶＤレコーダ）を介してＤＶＤに直接書き込むサービスを実現することが可能となる。これにより、ＶＯＤとは異なり、映画等のコンテンツのＤＶＤの販売と同時にコンテンツを提供することが可能となり、従来には存在しなかった全く新しい視聴スタイルを提案することが可能となる。また、市販のＤＶＤのようにプレスや物流コストがかからないため、廉価で提供することができると共に、ＤＶＤ化されていない未販売のコンテンツも配信することが可能となり、視聴者のコンテンツを選択する幅を広げることができる。また、記録部の動作を制御するプログラムが存在し、かつそのプログラムが最新のものであるかを判定すると共に、記録部がＤＶＤに対してコンテンツデータを記録可能であるかどうかを判定し、判定の結果を表示するので、ユーザ端末１０が、コンテンツを取得するための最新の環境となっているかどうかを把握し、それを視聴者へ報知することが可能となる。
【００５８】
さらに、判定の結果、記録部の動作を制御するプログラムが存在せず、若しくはそのプログラムが最新のものでない場合、または記録部がＤＶＤに対してコンテンツデータを記録可能でない場合、エラー表示を行ない、コンテンツデータの取得を停止するので、ユーザ端末１０が、最新の環境となっていない場合は、コンテンツデータの取得ができなくなるため、不正または違法なコンテンツの視聴が回避され、著作権保護を確実に図ることが可能となる。
【００５９】
また、判定の結果、記録部の動作を制御するプログラムが存在し、かつそのプログラムが最新のものであって、記録部がＤＶＤに対してコンテンツデータを記録可能である場合、コンテンツ取得可能表示を行ない、ユーザの操作を契機として、配信サーバからコンテンツデータを取得するので、コンテンツデータの取得条件が整って初めてコンテンツデータの取得が可能となる。これにより、不正または違法なコンテンツの視聴が回避され、著作権保護を確実に図ることが可能となると共に、適法な手順を踏んだ視聴者は、本サービスの利益を享受することが可能となる。
【図面の簡単な説明】
【００６０】
【図１】本発明の実施形態に係るコンテンツ配信システムの概略構成を示す図である。
【図２】ユーザ端末１０の概略構成を示すブロック図である。
【図３】本発明の実施形態に係るコンテンツ配信システムの動作を示す図である。
【図４】、ＰＣ環境チェックアプリケーションの動作を示すフローチャートである。
【図５】ＤＶＤ書き込みアプリケーションの動作を示すフローチャートである。
【符号の説明】
【００６１】
１０  ユーザ端末
１１  ＷＥＢサーバ
１２  配信サーバ
１３  課金サーバ
１４  鍵発行サーバ
１００  通信ネットワーク
１０１  コンテンツデータ取得部
１０２  鍵情報取得部
１０３  記録部
１０５  表示部
１０６  判定部
１０７  通信インタフェース
１０８  制御バス
【図１】
2009077346.tif 000003
【図２】
2009077346.tif 000004
【図３】
2009077346.tif 000005
【図４】
2009077346.tif 000006
【図５】
2009077346.tif 000007